【手続補正書】
【提出日】平成25年4月18日(2013.4.18)
【手続補正１】
【補正対象書類名】特許請求の範囲
【補正対象項目名】全文
【補正方法】変更
【補正の内容】
【特許請求の範囲】
【請求項１】
それへと一体型に成型されるリードパイプ（２６ａ）を持つチューブ部分（２６）を含み、前記チューブ部分と前記リードパイプが単一の構成成分としてポリマー材料より成型され、楽器のチューニングもしくは音程の調整のために、前記単一の構成成分の壁厚がその長さに沿って変化して制限（２６ｘ）に向かう断面において減少し、そして前記制限から離れる断面において増加するような内部穴の漸減をもたらすことを特徴とする、金管楽器群の楽器。
【請求項２】
一体型に成型されたリードパイプ（２６ａ）とチューブ部分（２６）がトロンボーンのスライドの内側のチューブを含有することを特徴とする、請求項１に記載される楽器。
【請求項３】
一体型に成型されるリードパイプ（２６ａ）とチューブ部分（２６）が、多数の部分の二重の漸減の心棒の近くで未硬化の強化されたポリマー材料へと空気を吹き込み、材料を硬化する事によって形成されることを特徴とする、請求項１から２のいずれか一項に記載される楽器。
【請求項４】
分離したチューニングスライド（１２）、内側の（１４）および外側の（１６）メインのスライド部分、ならびにマウスピース（１５）を含むベル部分（１１）を持つトロンボーン（１０）の形状であり、前記外側のメインスライド部分（１６）は楽器を演奏するのに外側のメインスライド部分（１６）をスライドするために握る第一のスライド支柱（２０）と、二つの外側のスライドチューブ（２３）を相互に連結させ、唾／水抜きバルブ（２２）を含む末端部分（２１）とを持ち、前記内側のスライド部分（１４）はメインスライド（１３）の二つの内側のチューブ（２５、２６）の末端を支え、そしてマウスピース（１５）をもまた支えるスライド不可能な第二のスライド支柱（２４）を持ち、そして前記ベル部分（１１）、前記チューニングスライド（１２）、前記第一のおよび第二のスライド支柱（２０、２４）、ならびに前記外側のスライド末端部分（２１）の一つもしくはそれ以上がポリマー材料より成型プロセスによって製造される、請求項１から３のいずれか一項に記載される楽器。
【請求項５】
チューニングスライド（１２）がその成型された部品（１２ａ、１２ｂ）間に置かれるバランス用おもり（１７）を持つことを特徴とする、請求項４に記載される楽器。
【請求項６】
第二のスライド支柱（２４）がその上にメインスライド（１３）が備えられるベル部分（１１）の末端上に備えられるチューブ状のオスの連結スリーブ（１８）を受容するためのメスの連結スリーブ（１９）を伴って提供される、請求項４もしくは５に記載される楽器。
【請求項７】
メインスライド（１３）の内側のチューブ（２５、２６）のフリーな末端が、スライド（１３）の外側のチューブ（２３）の内部表面とのメインのスライド接触を構成する真鍮スリーブ（２７）に適合することを特徴とする、請求項４から６のいずれか一項に記載される楽器。
【請求項８】
チューニングスライド（１２）へと導かれるベル部分（１１）のエントリ部分が、楽器のチューニングもしくは音程の調整のために当該部分の穴の径を変化させるのにエントリ部分の長さに沿って変化する成型された壁厚を持つことを特徴とする、請求項４から７のいずれか一項に記載される楽器。
【請求項９】
メインスライド（１３）の末端部が、一般に真っ直ぐな中心部分（２１ｚ）によって連結される二つの画定される曲げ（２１ｘ、２１ｙ）を伴う四角の構造であることを特徴とする、請求項４から８のいずれか一項に記載される楽器。
【請求項１０】
一般的に真っ直ぐな中心部分（２１ｚ）が中心部分（２１ｚ）に沿って径を変化させる内部穴（２１ｖ）を持つことを特徴とする、請求項９に記載される楽器。
【請求項１１】
アンプ、コンピュータもしくは他の電子デバイスへの接続のための電子音センサー（３０）がベル部分へと成型されて提供されるベル部分（１１）を持つことを特徴とする、請求項１から１０のいずれか一項に記載される楽器。
【請求項１２】
チューニングもしくは音程の品質の調整のために一つもしくはそれ以上の塊が楽器の部品へと成型されていることを特徴とする、請求項１から１０のいずれか一項に記載される楽器。
【請求項１３】
分離したチューニングスライド（１２）、内側の（１４）および外側の（１６）メインのスライド部分、ならびにマウスピース（１５）を含むベル部分（１１）を持ち、前記外側のメインスライド部分（１６）は楽器を演奏するのに外側のメインスライド部分（１６）をスライドするために握る第一のスライド支柱（２０）と、二つの外側のスライドチューブ（２３）を相互に連結させ、唾／水抜きバルブ（２２）を含む末端部分（２１）とを持ち、前記内側のスライド部分（１４）はメインスライド（１３）の二つの内側のチューブ（２５、２６）の末端を支え、そしてマウスピース（１５）をもまた支えるスライド不可能な第二のスライド支柱（２４）を持ち、そして前記ベル部分（１１）、前記チューニングスライド（１２）、前記第一のおよび第二のスライド支柱（２０、２４）、ならびに前記外側のスライド末端部分（２１）の一つもしくはそれ以上がポリマー材料より成型プロセスによって製造される、トロンボーン（１０）。
【請求項１４】
請求項１３に記載されるトロンボーンを製造するための方法であって、
ベル部分（１１）、分離したチューニングスライド（１２）、第一のおよび第二のスライド支柱（２０、２４）、ならびに外側のメインスライド末端部分（２１）の一つもしくはそれ以上を、ポリマー材料を適切な型へと射出することによって成型するステップ；
ベル部分（１１ａ、１１ｂ）、チューニングスライド（１２ａ、１２ｂ）、ならびに第一の（２０ａ、２０ｂ）および第二の（２４ａ、２４ｂ）スライド支柱の成型した部品をそれらの型より取り出し、それらの部品を完成させるために、それらの部品を一緒に接着、またはそうでなければ固定するステップ；
内側の（２５、２６）および外側の（２３）メインスライドチューブをプラスチック材料で提供するステップ；
第一の可動性のスライド支柱（２０）と末端部分（２１）との中へと外側のメインスライドチューブ（２３）を組み入れて外側のメインスライド部分を完成させるステップ；
第二のスライド支柱（２４）の中に内側のメインスライドチューブ（２５、２６）を組み入れて内側のメインスライド部分を完成させるステップ；そして
マウスピース（１５）を提供して楽器を完成させるステップ
を含有することを特徴とする、方法。
【請求項１５】
ベル部分（１１）、チューニングスライド（１２）および外側のメインスライド部分（１６）の末端部分（２１）の少なくとも一つの内部穴が漸減であることを特徴とする、請求項１３に記載される楽器。
【請求項１６】
内部のスライドチューブ（２５、２６）の少なくとも一つの穴がまた漸減であることを特徴とする、請求項１５に記載される楽器。
【請求項１７】
それぞれの外側のスライドチューブ（４１）を包む二つの末端部分を持ち、支柱部分を連結する事によって接続されるチューニング支柱（４０）を外側のスライドチューブ（２３）が持ち、前記チューニング支柱がトロンボーンのチューニング／音程の品質を向上させるためにスライドチューブ内の振動を減衰させることを特徴とする、請求項１３に記載される楽器。
【請求項１８】
ベル部分（１１）、チューニングスライド（１２）、内側のスライドチューブ（２５、２６）および外側のメインスライド部分（１６）の末端部分（２１）の少なくとも一つの内部穴が漸減であることを特徴とする、請求項１３に記載される楽器。
【請求項１９】
トロンボーンのそれぞれの外側のスライドチューブ（４１）を包み、支柱部分を連結することで接続される二つの末端部分を持つトロンボーンのスライドのチューニング支柱（４０）であって、前記チューニング支柱がトロンボーンのチューニング／音程の品質を向上させるためにスライドチューブ内の振動を減衰させることを特徴とする、トロンボーンのスライドのチューニング支柱（４０）。
【請求項２０】
ポリマー材料より成型されることを特徴とする、請求項１９に記載されるチューニング支柱（４０）。
【請求項２１】
ポリマー材料より成型されるベル部分（１１）を持ち、アンプ、コンピュータもしくは他の電子デバイスへの接続のための電子音センサー（３０）がベル部分（１１）へと成型されて提供されることを特徴とする、金管楽器。